(57)【要約】【課題】  室外機と室内機をもつ空気調和機の室内機は最近薄形化の傾向にあり正面に位置するエアフィルタに係合する案内ガイド溝を設けるスペースがなくなってきている。このためエアフィルタの固定手段が複雑化の傾向にあった。本発明の目的は、これを簡単な機構でしかもコストアップ無しで実現することにある。【解決手段】  エアフィルタの下端且つ中央寄りの係合爪に近い位置に設けた係止部を、前面パネル裏面に設けた突起部で、筐体側に押し付けエアフィルタを固定する。これにより、空気調和機に強い衝撃、例えば輸送時等に衝撃がかかっても、エアフィルタがズレ落ちることがない。    【選択図】  図６
2007132607.tif 000002
【特許請求の範囲】
【請求項１】
筐体上面および正面部等に設けられた吸込口と、同筐体下部に設けた吹出し口との間に熱交換器および送風ファン等を有する他、筐体正面に回動自在の前面パネルおよびエアフィルタ等を備え、該エアフィルタを略くの字形とし筐体上面および正面の吸込口に対応させ、且つそのエアフィルタの上部を案内ガイド溝に係合させる一方、正面部下端中央に於いて係合爪を筐体側に設けた開口部に差し込み、該エアフィルタを固定するようにした空気調和機の室内機に於いて、
上記エアフィルタの下端且つ中央寄りの係合爪に近い位置に設けた係止部を、正面パネル裏面に設けた突起部で、筐体側に押し付けエアフィルタを固定するようにしたことを特徴とする空気調和機。
【請求項２】
エアフィルタを吸込口の上面と正面部に取り付くよう略くの字形状とすると共にこのエアフィルタの両側をエアフィルタの肉厚より大きな溝幅を有す案内ガイド内に摺動自在に係合したことを特徴とする請求項１記載の空気調和機。
【請求項３】
案内ガイドは、略くの字状エアフィルタの上部が係合されるよう筐体側板上部に設けると共に前面パネル裏面に設ける突起部は正面吸込口を形成すべく裏側にくぼませて形成した突起部を有するようにしたことを特徴とする請求項１記載の空気調和機。
【請求項４】
エアフィルタ下部に設ける係止部はエアフィルタの下部中央に設けられる把手に連続して形成したことを特徴とする請求項１記載の空気調和機。
【請求項５】
エアフィルタ下部に設ける係止部はエアフィルタの下部中央に設けられる把手の両側に連続して形成したことを特徴とする請求項１記載の空気調和機。
【請求項６】
前面パネル側に設ける突起部は傾斜面を有し、その傾斜面の途中がエアファルターの係止部が当接するようにしたことを特徴とする請求項１記載の空気調和機。
【請求項７】
補強リブが配設されるとともに、当該補強リブの一部が突起部として形成された前面パネルと、
空気調和機本体と係止するための係止爪を枠部の下端に有するとともに、本体の前面側に延在した係止部を有するエアフィルタと、を有し、
前記前面パネルを閉じたときに、前記突起部によって前記係止部が下方且つ背面側に押圧されることによって前記エアフィルタを本体に固定した空気調和機。
【発明の詳細な説明】
【技術分野】
【０００１】
本発明は一般家庭で使用される壁掛け形の空気調和機、特にエアフィルタの取り付け構造に関するものである。
【背景技術】
【０００２】
一般に市販されている空気調和機は最近でこそ給排気機能を具備しているが、これとて室内の空気を全て入れ換える訳ではないので、室内にホコリやタバコの煙等があると、いつまでも室内に残ってしまう。このようなホコリ等が熱交換器に付いて性能低下を生じるのを防ぐため、壁掛け形の家庭用空気調和機には、空気吸込口付近で熱交換器の前に、エアフィルタが取り付けられている。
【０００３】
このエアフィルタは室内のホコリ等を細かい網目にひっかけ、或いは吸着して除去するため使用者が時々清掃できるような形で取り付けておく必要がある。市販されている空気調和機は、前面パネルを開けてエアフィルタを手前下方に引き出すと、空気調和機本体の側板等に設けた案内レールに沿って該エアフィルタが引き出て来る構造になっている。
【０００４】
【特許文献１】特開２００４−２５７６２０号
【特許文献２】特開２００４−１３８３１０号
【特許文献３】特開２００４−０２８４５３号
【発明の開示】
【発明が解決しようとする課題】
【０００５】
特許文献１には、エアフィルタの上部は筐体側に設けたガイド部に係合し、エアフィルタの下部中央の位置決め用フランジが筐体側の位置決め用穴に係止されたとき、吸込パネル側に設けた突起部でエアフィルタの両側を、熱交換器に通じる風路側に押し付けるようにしたものが開示されている。これは、主に、空気調和機の運転時、エアフィルタの両側が浮き上がり、その浮き上がり部から熱交換器側にホコリ等が侵入するのを防止するものであって、エアフィルタの変形矯正、エアフィルタの動きを考慮したものである。
【０００６】
しかしながら、エアフィルタを係合するガイド部にしろ、位置決め用穴にしろ、相当の寸法的余裕をもっているので、エアフィルタはガイド部と位置決め用穴部との間で自由に動くことができるものであった。
【０００７】
吸込パネル側に設けた突起部であっても、例えば、浮き上がり等のこの自由な動きを或る程度防止することができる。しかし、位置決め用フランジから遠く離れたエアフィルタの部分を、吸込パネル側の前面グリルに設けた突起部で押えつけるようにしたものであるので、位置決め用フランジ部が位置決め用穴から抜け出してしまうことを必ずしも防止できるものではなかった。
【０００８】
従って、輸送時等に強い衝撃を受けると、エアフィルタは筐体側の前面グリルより外れてしまう虞があった。こうなると、エアフィルタが案内ガイド部の溝内で遊んでしまって位置ずれを生じたり、前面パネルを開けたときにはエアフィルタが落下してしまうことにつながる。また、空気調和機運転時には、室内機本体の振動に対し、エアフィルタ自身が振動して騒音の原因になり得る。更に言えば、特許文献１には、エアフィルタが筐体から外れてしまうのを防止する思想は提案されていない。
【０００９】
本発明は上記課題を解決することを目的としてなされたものである。
【００１０】
すなわち、本発明は、空気調和機の運転時・非運転時を問わず、簡易な構成でエアフィルタを本体に固定する空気調和機を提供することを目的とする。また、エアフィルタの装着性を悪化させることなく、エアフィルタが筐体側の前面グリルから浮き上がることによるホコリ等の侵入を防止することを目的とする。
【課題を解決するための手段】
【００１１】
上記目的は主に次の構成を採用することによって達成される。
すなわち、筐体上面および正面部等に設けられた吸込口と、同筐体下部に設けた吹出し口との間に熱交換器および送風ファン等を有する他、筐体正面に回動自在の前面パネルおよびエアフィルタ等を備え、該エアフィルタを略くの字形とし筐体上面および正面の吸込口に対応させ、且つそのエアフィルタの上部を案内ガイド溝に係合させる一方、正面部下端中央に於いて係合爪を筐体側に設けた開口部に差し込み、該エアフィルタを固定するようにした空気調和機の室内機に於いて、上記エアフィルタの下端且つ中央寄りの係合爪に近い位置に設けた係止部を、正面パネル裏面に設けた突起部で、筐体側に押し付けエアフィルタを固定するようにした空気調和機。
【００１２】
また、補強リブが配設されるとともに、当該補強リブの一部が突起部として形成された前面パネルと、空気調和機本体と係止するための係止爪を枠部の下端に有するとともに、本体の前面側に延在した係止部を有するエアフィルタと、を有し、前記前面パネルを閉じたときに、前記突起部によって前記係止部が下方且つ背面側に押圧されることによって前記エアフィルタを本体に固定するようにした空気調和機。
【００１３】
これら構成によれば、エアフィルタの下部（下端部分）は係止部（および把手）により強度が増しており、そこを突起部で押すので、係合爪は外れにくくまたエアフィルタ自身の振動を防止するものである。
【発明の効果】
【００１４】
本発明によれば、簡易な構成でエアフィルタを本体に固定することができる。また、空気調和機に強い衝撃、例えば輸送時等に衝撃がかかっても、エアフィルタが外れることを抑制することができる。また、空気調和機運転時におけるエアフィルタの振動を抑制することができる。
【発明を実施するための最良の形態】
【００１５】
以下、本発明の詳細を図を用いて説明する。
【００１６】
図１は空気調和機の室内機の正面図であり、図２は図１のＣ−Ｃ断面図であり、図３は図１の前面パネルを開いてエアフィルタを引き出す状態を示す図であり、図４は図３のＢ部詳細図であり、図５は図２のＤ部詳細図であり、図６は図２のＤ部斜視図であり、図７は図５の前面パネルを少し開いたときのエアフィルタの動きを示す図であり、図８は図１の前面パネル単体斜視図であり、図９は図８の前面パネル裏面斜視図であり、図１０は図９のＡ部詳細図であり、図１１はエアフィルタ単体の斜視図であり、図１２は図１１のＣ部詳細図である。
【００１７】
先ず、図１、図２を用いて、室内機の構成を説明する。
【００１８】
１は冷房運転、暖房運転、除湿運転等に切り換え可能な空気調和機の室内機である。また、図示しない室外機側に圧縮機、冷房時に凝縮器となる熱交換器等が設置されている。空気調和機は、室内機１と図示しない室外機等により構成されており、圧縮機、上記熱交換器、室内機１側に設置された後述する熱交換器３等で冷凍サイクルを構成している。
【００１９】
又、室内機１は室内の壁等に取り付けられ、室内の空気を循環させ、機種によっては吸排気しながら、室内を所定温度に冷却する（冷房運転時）。
２は室内機１の外郭を構成する筐体２であって、この筐体２は側板２ａおよび底板２ｂ等より構成されている。この筐体２内には、熱交換器３、送風機４等が設置されている。
【００２０】
熱交換器３は、正面熱交換器３ａと上面熱交換器３ｂ（略への字形状）とを備えており、これらは空気調和機本体の前面側に略くの字形をなして配設されている。また、上面熱交換器３ｂの更に上面には補助熱交換器３ｃを備えている。又５は筐体２の上面に設けられたグリル状の上面吸込口、６は筐体２の正面を覆う前面パネル７に設けられたグリル状の正面吸込口である。７は前面パネルで筐体２の正面に支軸２０（図８，９参照）を中心に回動するよう取り付けられており、エアフィルタ１０の清掃時には、この前面パネル７を図３に示す如く開けるものである。８は吹出口であり風向板９等を備えている。
【００２１】
空気調和機が運転され室内機１が運転されると、送風機４が図２で時計回りに回転する。送風機４により上面吸込口５、正面吸込口６から吸い込まれた室内循環空気は、ホコリ等の空気中の汚れがあればエアフィルタ１０で除去され、熱交換器３で冷却される。その後空気は送風機４を経て吹出口８より室内に吹き出されて行く。そして室内の空気は、上面吸込口５、正面吸込口６から吸い込まれる。この運転を繰り返すことにより、室内空気温度は予め設定された温度となるものである。
【００２２】
次に、図３，４でエアフィルタ１０の形状、取り付けについて説明する。
【００２３】
エアフィルタ１０は、グリル状吸込口５，６と、略くの字形熱交換器３（前述のように３ａと３ｂとで形成される）との間に配設され、このエアフィルタ１０の網部（１０ａ）を通して循環空気は熱交換器３側に吸い込まれるよう構成されている。従って、このエアフィルタ１０も予め熱交換器３に合わせて略くの字形に作っておくのが良い。
【００２４】
エアフィルタ１０は、網目状ネット（１０ａ）の外周を、例えばポリプロピレン樹脂等の柔らかい材料の枠部（１０ｂ）で縁取りしたものである。枠部（１０ｂ）でも厚さが1.5mm〜2.0mm程度と薄く、エアフィルタ１０自身にあまり剛性が無い。従って、図３に示す如く前面パネル７を支軸２０を中心に回動させ、エアフィルタ１０を室内機１より斜め下に引き抜くときには、例え熱交換器形状に合わせて略くの字形にエアフィルタを作っておいても、つまり、室内機の吸込口に対応するように上面と正面（前面）を形成すべく略くの字状に折り曲げてエアフィルタを作っておいても、おおよそ平面上に変形させて引き抜くことが可能である。
【００２５】
室内機は最近薄形化の傾向にあり、エアフィルタの案内ガイド溝を設けるスペースが室内機本体正面に無くなってきている。すなわち、このエアフィルタを支える案内ガイドが省略される傾向にある。そこで、この種の薄形室内機をもつ空気調和機に於いては、室内機本体側板に、エアフィルタの上部のみを拘束する案内ガイド溝を作り、エアフィルタの上部のみを案内ガイド溝で係合し、正面側（前面側）はフリーな状態としておく傾向にある。
【００２６】
１１はエアフィルタ１０を筐体２に組み付けるための係合溝であり、上記したように、エアフィルタの上部のみを案内している。この係合溝１１は側板２ａに設けられているもので、図に示すように一対の突リブによって形成される溝である。
【００２７】
この係合溝１１は側板２ａの上部のみに熱交換器３の上面熱交換器３ｂ対向部に設けられており、熱交換器３の正面熱交換器３ａに対応する部分には設けられていないものである。
【００２８】
室内機１の幅に合わせて１つのエアフィルタ１０を幅広に作る場合は、側板２ａ間の係合溝１１に該エアフィルタの両側を係合すれば良い。しかし、これではエアフィルタの中心部分が反り等によって浮いてしまう等の不都合を生じ易い。よって、エアフィルタ１０の取扱い性等を良くしたい場合には、例えば図１１のように、エアフィルタを２つに分けることもできる。このときには筐体２の中央に、この係合溝１１或いはこれに相当するものを作り、エアフィルタ１０を着脱自在とできる構成にする。
【００２９】
尚、係合溝１１の幅Ｌは3mm〜5mm程度であり、通常のエアフィルタ１０の枠部の肉厚1.5mm〜2.0mmに対して、２倍以上の溝幅に作られている。
【００３０】
又、前面パネル７には正面吸込口６が設けられている他、前面パネル７を筐体２に固着するための固着爪１３が設けられている。通常、室内機の運転時には、この固着爪１３が筐体２側に設けられた図示しない受部に係合し、前面パネル７は筐体２にしっかりと固着され、前面パネル７を図３の如く開けるときにはその固着爪１３と、受部との係合関係を解除し、上部に設けた支軸２０を中心に回動するものである。
【００３１】
その後、エアフィルタ１０の弾力性を利用して、エアフィルタ１０を変形させながら係止爪１２を上方に持ち上げ、後述の係止孔１７との係止関係を解除させ、図３の如くして、係合溝１１からエアフィルタ１０を手前下方に引き抜くものである。又、エアフィルタ１０の取り付けは、この逆の操作をして筐体２に取り付けるものである。
【００３２】
１４はエアフィルタ１０を着脱するときに、人の手により持たれる把手であり、エアフィルタ１０の幅方向中央に設けられている（図１１，１２等参照）。係止爪１２は、この把手１４近くに設けられている。操作部たる把手１４の近くに係止爪１２を設けることで、係止爪１２が筐体２に設けた係止孔１７に係止・解除し易くしている。通常は、係止爪１２は把手１４部に設けられている。
【００３３】
次に、図５〜図７を用いて、エアフィルタ１０の下部固定構造に付いて説明する。
【００３４】
前面パネル７の固着爪１３は、受部１５に係合することにより位置決め固定されるもので、前面パネル７を開くときには、この固着爪１３は受部１５との係合関係が解除されるものである。１６はエアフィルタ１０の下部に設けられた係止部であって、把手１４の両脇に設けられている（図１１，１２参照）。係止部１６の先端には立ち上がり片１６ａを有している。尚、係止爪１２は、この係止部１６に設けても良いものである。筐体２に設けられた係止孔１７は、係止爪１２と係合して、フィルタ１０のおおよその位置を固定するための孔である。
【００３５】
以下に、この係合による固定について説明する。
【００３６】
係合溝１１の幅Ｌと通常のエアフィルタ１０の枠部の肉厚との寸法関係では、前述のようにＬの方が２倍以上大きいので、係合溝１１にはエアフィルタ１０の動きを拘束する機能はなく、エアフィルタは溝内で自由に動いてしまう。また、強い衝撃、例えば空気調和機の輸送時等に衝撃があると、エアフィルタがガイド溝より抜け出し、エアフィルタの正面部下部に設けていた係合爪が外れてしまいかねない。
【００３７】
従って、前面パネルを開いたときエアフィルタが落下してしまう、或いは、案内ガイド溝内に余裕が有るためエアフィルタが遊んでしまい、前面パネルと熱交換器との間の風路に対し、正規の位置が保持出来なくなり、熱交換器側にホコリ等を送ってしまう虞がある。一方、エアフィルタ１０は剛性があまり無いので、反り等の変形が生じやすい。
【００３８】
従って、エアフィルタの取り付けに当たっては反り等の変形を考慮して、これを矯正する工夫が必要となる。エアフィルタ１０を固定するため、例えば粘着テープ等によってエアフィルタを正面側より固定することも考えられるが、これでは室内機本体の設置時に粘着テープをいちいち剥がさなければならず、またコストの面からも不都合である。
【００３９】
従って、より簡易安価にエアフィルタ１０を固定するため、エアフィルタ１０を、上部の係合溝１１と下部の係止爪１２により筐体２に取り付けることとした。
【００４０】
把手１４または係止部１６に設けられた係止爪１２はエアフィルタ１０の最下端に設けられるので、この係止爪１２が筐体２に設けられた係止孔１７に係合し、熱交換器３の前部に図の如く取り付けられることとなる。係止爪１２と係止孔１７との関係は、図５にも示す如く操作性を考慮して、係止爪１２の厚みＬ１に対し、係止孔１７の孔幅Ｌ２を大きくとって余裕を持たせている。
【００４１】
１８は、前面パネル７を内側にくぼませ、そこに上記した正面吸込口６を形成するためのくぼみである。このくぼみ１８は図９にも示す如く、前面パネル７の幅一杯に設けられている。１９はこのくぼみ１８に連接して設けた突起部である（図９，１０参照）。
【００４２】
前面パネル７を図５に示す如く閉じたとき突起部１９の持つ傾斜面１９ａがエアフィルタ１０の係止部１６（立ち上がり片１６ａ）を筐体２側、つまり背面側に押し付ける寸法関係で作られている。この突起部１９（傾斜面１９ａ）は、係止部１６（立ち上がり片１６ａ）に対向する位置に設けられ、係止部１６との係止を容易にするとともに、前面パネル７とエアフィルタ１０との取付関係で多少の誤差が出ても係止部１６と突起部１９との係止関係が維持出来るようにしている。
【００４３】
この前面パネル７側の突起部１９が、係止爪１２の近辺である係止部１６を、筐体２側に押し付けているので、輸送時等に強い衝撃があっても、係止爪１２が係止孔１７より抜け出ることがない。なお、突起部１９（傾斜面１９ａ）の押圧方向は、筐体２側、つまり背面側ばかりでなく、下方にも押圧している。従って、係止爪１２の係止孔１７からの抜け出しをも防止している。
【００４４】
エアフィルタ１０を外すときには、図７の如く前面パネル７を開ければ突起部１９と係止部１６との係止関係が外れるので、エアフィルタ１０の弾力性を利用し、把手１４あたりを人の手で上方にたるませるようにすれば、係止爪１２と係止孔１７との係合関係は解除され、エアフィルタ１０は図３〜図４で説明した如く前方下方に引き出せるものである。
【００４５】
次に、図８〜図１２を用いて前面パネル７およびエアフィルタ１０について説明する。
【００４６】
２１は補強リブである。この補強リブ２１は前面パネル７の裏面に複数本、図の如く設けられている。又この補強リブ２１は先のくぼみ１８に重合するよう設けられている。１９はその補強リブ２１を延長して形成された突起部である。この突起部１９は傾斜面１９ａを有し、エアフィルタ１０側の係止部１６に係止しやすいよう考慮されている。すなわち、前面パネル７は支軸２０を支点として回動しながら係止部１６に係止するため進入し易く、又、退却し易いよう設計されたものである。
【００４７】
更に、この突起部１６は先にも記述した如く前面パネル７の中央寄りの補強リブ２１の延長部に設けられているものである。
【００４８】
図１０にはエアフィルタ１０を２つ並べて示してある。１０ａはホコリ等を捕獲する網部であり、１０ｂは周縁の枠部であり、１０ｃは該網部１０ａを補強する桟である。
【００４９】
又、１４はエアフィルタ１０着脱時に使用する杷手を示す。１６は係止部であり１６ａは立ち上がり片を示す。杷手１４、係止部１６は枠部１０ｂに設けたものである。この部分は、エアフィルタ１０の面に垂直なリブとして形成されているので、他の部分に比して強度が数段増している。
【００５０】
又、特に係止部１６は或る程度の幅Ｗを持ち、先に説明した前面パネル７側の突起部１９が多少ズレるようなことがあっても係止関係が成立するように構成されている。更に、突起部１９が係止部１６を押し付けたとき、エアフィルタ１０に形状変化等を与えることがない強度関係にて設計されている。係止爪１２は先の把手１４の強度が増した所に設けられているものである。
【００５１】
更に又、エアフィルタ１０の全体形状は、先に説明した如く、略くの字状熱交換器３の形状に合わせ、略くの字状に作られているものである。
【００５２】
エアフィルタ１０は上部が係合溝１１に係合され、下部係止爪１２が係止孔１７に係合されることにより固定されている。また、前面パネル７側の突起部１９が強度を確保されたエアフィルタ１０の中央部に設けられた係止部１６を本体側に押し付けることとなるので、輸送時の衝撃等があっても、エアフィルタ１０が変形し、係止爪１２が係止孔１７より抜け出る等ということを防止できる。
【００５３】
以上に説明した構成によれば、次のような効果を得ることができる。
【００５４】
すなわち、筐体上面および正面部等に設けられた吸込口と、同筐体下部に設けた吹出し口との間に熱交換器および送風ファン等を有する他、筐体正面に回動自在の前面パネルおよびエアフィルタ等を備え、該エアフィルタを略くの字形とし筐体上面および正面の吸込口に対応させ、且つそのエアフィルタの上部を案内ガイド溝に係合させる一方、正面部下端中央に於いて係合爪を筐体側に設けた開口部に差し込み、該エアフィルタを固定するようにした空気調和機の室内機に於いて、エアフィルタの下端且つ中央寄りの係合爪に近い位置に設けた係止部を、正面パネル裏面に設けた突起部で、筐体側に押し付けエアフィルタを固定するようにしたものであるから、斯様なエアフィルタは上面は両案内ガイドに、正面中央は係合爪と突起部とで支持したものであるから、空気調和機に強い衝撃、例えば輸送時等に衝撃がかかっても、エアフィルタがズレ落ちることがない。また、正面に位置するエアフィルタが変形し、熱交換器側にホコリ等を流してしまい熱交換器側を異常に汚してしまうと云うことがない。
【００５５】
すなわちエアフィルタ下部は把手および係止部により強度が増している所を突起部で押すので係合爪は外れにくく、またエアフィルタの振動を防止することができる。
【００５６】
又、エアフィルタを吸込口の上面と正面部に取り付くよう略くの字形状とすると共にこのエアフィルタの両側をエアフィルタの肉厚より大きな溝幅を有す案内ガイド内に摺動自在に係合したものであるから、吸込口を上面と正面に有する室内機にあって、二つの吸込口をカバーするエアフィルタの位置ズレ等を特別な手段を用いることなく押さえ込むことが出来る。
【００５７】
又、案内ガイドは、略くの字状エアフィルタの上部が係合されるよう筐体側板上部に設けると共に前面パネル裏面に設ける突起部は正面吸込口を形成すべく裏側にくぼませて形成した突起部を有するようにしたものであるから、略くの字状エアフィルタの上部のみで係合であっても、エアフィルタの位置ズレ等を防止することが出来る。また、エアフィルタの位置ズレ防止を行なう突起部を吸込口に連接して設けたので突起部強度を十分に確保することが出来る。また、吸込口裏側には常にエアフィルタを確実に位置させることが出来る。
【００５８】
又、エアフィルタ下部に設ける係止部はエアフィルタの下部中央に設けられる把手に連続して形成したものであるから、係止部強度を一段と向上させることが出来る。また、一番変形が出やすくエアフィルタが浮き上がり吸込通路を入った室内空気がエアフィルタを通らず熱交換器に行ってしまう空気バイパスを作ることがない。
【００５９】
又、エアフィルタ下部に設ける係止部はエアフィルタの下部中央に設けられる把手の両側に連続して形成したものであるから、係止部の強度を強固なものとすることが出来る。
【００６０】
又、正面パネル側に設ける突起部は傾斜面で形成し、その傾斜面の途中がエアファルターの係止部が当接するようにしたものであるから、正面パネルの開閉時、正面パネルがエアフィルタ側の係止部にひっかかり動作が鈍くなる等と云うことがない。
【図面の簡単な説明】
【００６１】
【図１】空気調和機の室内機の正面図である。
【図２】図１のＣ−Ｃ断面図である。
【図３】図１の前面パネルを開いてエアフィルタを引き出す状態を示す図。
【図４】図３のＢ部詳細図である。
【図５】図２のＤ部詳細図である。
【図６】図２のＤ部斜視図である。
【図７】図５の前面パネルを少し開いたときのエアフィルタの動きを示す図である。
【図８】図１の前面パネル単体斜視図である。
【図９】図８の前面パネル裏面斜視図である。
【図１０】図９のＡ部詳細図である。
【図１１】エアフィルタ単体の斜視図である。
【図１２】図１１のＣ部詳細図である。
【符号の説明】
【００６２】
１…室内機
２…筐体
２ａ…側板
２ｂ…底板
３…熱交換器
３ａ…正面熱交換器
３ｂ…上面熱交換器
３ｃ…補助熱交換器
４…送風機
５…上面吸込口
６…正面吸込口
７…前面パネル
８…吹出口
９…風向板
１０…エアフィルタ
１０ａ…網部
１０ｂ…枠部
１０ｃ…桟
１１…係合溝
１２…係止爪
１３…固着爪
１４…杷手
１５…受部
１６…係止部
１６ａ…立ち上がり片
１７…係止孔
１８…くぼみ
１９…突起部
１９ａ…傾斜面
２０…支軸
２１…補強リブ
【図１】
2007132607.tif 000003
【図２】
2007132607.tif 000004
【図３】
2007132607.tif 000005
【図４】
2007132607.tif 000006
【図５】
2007132607.tif 000007
【図６】
2007132607.tif 000008
【図７】
2007132607.tif 000009
【図８】
2007132607.tif 000010
【図９】
2007132607.tif 000011
【図１０】
2007132607.tif 000012
【図１１】
2007132607.tif 000013
【図１２】
2007132607.tif 000014